(57)【特許請求の範囲】
【請求項１】
原稿を支持する透明な第一透明板と、
前記第一透明板の隣りで、少なくとも前記第一透明板側の部分が前記第一透明板に対して上方に配置される透明な第二透明板と、
前記第一透明板の板面に沿って移動して前記第一透明板に支持される原稿の画像を読み取ると共に、前記第二透明板の下方に配置される読取部材と、
前記読取部材が前記第二透明板の下方に配置された状態で、前記第二透明板の板厚方向において前記読取部材を前記第二透明板に対して位置決めする位置決め部材と、
前記位置決め部材によって前記第二透明板に対して位置決めされている前記読取部材が読み取る原稿を、原稿の原稿幅方向から見て前記第二透明板の上方で前記第二透明板に沿って直線状に搬送する搬送部材と、を備え、
前記第二透明板は、前記第二透明板の両端部分を前記原稿幅方向に延びて片持ち状態で保持する一対の板バネによって支持されることで、前記第二透明板の板厚方向に移動可能に支持され、
前記読取部材が前記搬送部材によって搬送される原稿の画像を読み取る状態で、前記板バネによって移動可能に支持されている前記第二透明板を、前記第二透明板の板厚方向において前記搬送部材に対して位置決めする他の位置決め部材を備える画像読取装置。
【請求項２】
前記搬送部材は、
前記第二透明板に対して原稿の搬送方向の上流側に配置されている一の搬送ロールと、
前記第二透明板に対して前記搬送方向の下流側に配置されている他の搬送ロールと、を備え、
前記他の搬送ロールの少なくとも一部は、前記第二透明板の上面に対して下方に配置されている請求項１に記載の画像読取装置。
【請求項３】
請求項１又は２に記載の画像読取装置と、
前記画像読取装置によって読み取られた画像データに基づいて記録媒体に画像を形成する画像形成部と、
を備える画像形成装置。
【発明の詳細な説明】
【技術分野】
【０００１】
本発明は、画像読取装置、及び画像形成装置に関する。
【背景技術】
【０００２】
特許文献１に記載の画像形成装置では、読取部材が自動原稿搬送装置（搬送部材）によって搬送される原稿を読み取る場合に、コンタクトガラス（第二透明板）の読取面上を自動原稿搬送装置によって原稿が搬送されるようになっている。
【先行技術文献】
【特許文献】
【０００３】
【特許文献１】特開２００８−２１９５３３号公報
【発明の概要】
【発明が解決しようとする課題】
【０００４】
ここで、原稿を搬送する搬送ロールの軸方向から見て、原稿は、第二透明板の上方で湾曲状に反りながら搬送されている。
【０００５】
本発明の課題は、原稿を第二透明板の上方で湾曲状に反りながら搬送する場合と比して、読取画像の品質を向上させることである。
【課題を解決するための手段】
【０００６】
本発明の第１態様に係る画像読取装置は、原稿を支持する透明な第一透明板と、前記第一透明板の隣りで、少なくとも前記第一透明板側の部分が前記第一透明板に対して上方に配置される透明な第二透明板と、前記第一透明板の板面に沿って移動して前記第一透明板に支持される原稿の画像を読み取ると共に、前記第二透明板の下方に配置される読取部材と、前記読取部材が前記第二透明板の下方に配置された状態で、前記第二透明板の板厚方向において前記読取部材を前記第二透明板に対して位置決めする位置決め部材と、前記位置決め部材によって前記第二透明板に対して位置決めされている前記読取部材が読み取る原稿の画像を、原稿の原稿幅方向から見て前記第二透明板の上方で前記第二透明板に沿って直線状に搬送する搬送部材と、を備えることを特徴とする。
【０００７】
本発明の第２態様に係る画像読取装置は、第１態様に記載の画像読取装置において、前記搬送部材は、前記第二透明板に対して原稿の搬送方向の上流側に配置されている一の搬送ロールと、前記第二透明板に対して前記搬送方向の下流側に配置されている他の搬送ロールと、を備え、前記他の搬送ロールの少なくとも一部は、前記第二透明板の上面に対して下方に配置されていることを特徴とする。
【０００８】
本発明の第３態様に係る画像読取装置は、第１又は２態様に記載の画像読取装置において、前記第二透明板は、前記第二透明板の板厚方向に移動可能に支持され、前記読取部材が前記搬送部材によって搬送される原稿の画像を読み取る状態で、前記第二透明板の板厚方向において前記第二透明板を前記搬送部材に対して位置決めする他の位置決め部材を備えることを特徴とする。
【０００９】
本発明の第４態様に係る画像形成装置は、第１〜３態様の何れか１態様に記載の画像読取装置と、前記画像読取装置によって読み取られた画像データに基づいて記録媒体に画像を形成する画像形成部と、を備えることを特徴とする。
【発明の効果】
【００１０】
本発明の第１態様の画像読取装置によれば、原稿を第二透明板の上方で湾曲状に反りながら搬送する場合と比して、読取画像の品質を向上させることができる。
【００１１】
本発明の第２態様の画像読取装置によれば、他の搬送部材の全てが第二透明板の上方に配置されている場合と比して、第二透明板を第一透明板に対して傾けることがない簡易な構成によって原稿を第二透明板に沿って直線状に搬送することができる。
【００１２】
本発明の第３態様の画像読取装置によれば、第二透明板を搬送部材に対して位置決めする他の位置決め部材を備えていない場合と比して、読取画像の品質を向上させることができる。
【００１３】
本発明の第４態様の画像形成装置によれば、第１又は２態様の画像読取装置を備えていない場合と比して、出力画像の品質を向上させることができる。
【図面の簡単な説明】
【００１４】
【図１】本発明の第１実施形態に係る画像読取装置を示した構成図である。
【図２】本発明の第１実施形態に係る画像読取装置を示した構成図である。
【図３】本発明の第１実施形態に係る画像読取装置を示した構成図である。
【図４】本発明の第１実施形態に係る画像読取装置に備えられた読取ユニット等を示した斜視図である。
【図５】（Ａ）（Ｂ）本発明の第１実施形態に係る画像形成装置を示した斜視図である。
【図６】本発明の第１実施形態に係る画像読取装置を示した概略構成図である。
【図７】本発明の第２実施形態に係る画像読取装置を示した構成図である。
【図８】（Ａ）（Ｂ）本発明の第３実施形態に係る画像読取装置に備えられた第二透明板等を示した断面図である。
【図９】本発明の第３実施形態に係る画像読取装置を示した構成図である。
【図１０】本発明の第３実施形態に係る画像読取装置を示した構成図である。
【図１１】本発明の第３実施形態に係る画像読取装置を示した構成図である。
【発明を実施するための形態】
【００１５】
＜第１実施形態＞
本発明の第１実施形態に係る画像読取装置、及び画像形成装置の一例を図１〜図６に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１６】
（全体構成）
図６に示されるように、本実施形態に係る画像形成装置１０には、上下方向（矢印Ｈ方向）の下方側から上方側へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０と、原稿Ｇに形成された画像を読み取る画像読取装置の一例としての画像読取部６０とが、この順で備えられている。
【００１７】
〔収容部〕
収容部１４には、画像形成装置１０の装置本体１０Ａから装置奥行方向の手前側に引き出し可能な収容部材２６が備えられており、この収容部材２６にシート部材Ｐが積載されている。さらに、収容部１４には、収容部材２６に積載されたシート部材Ｐを、搬送部１６を構成する搬送経路２８に送り出す送出ロール３０が備えられている。
【００１８】
〔搬送部〕
搬送部１６には、搬送経路２８に沿ってシート部材Ｐを搬送する複数の搬送ロール３２が備えられている。
【００１９】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ，Ｍ，Ｃ，Ｋを区別して説明する必要が無い場合は、Ｙ，Ｍ，Ｃ，Ｋを省略して記載することがある。
【００２０】
各色の画像形成ユニット１８は、装置本体１０Ａに対して夫々着脱可能とされている。そして、各色の画像形成ユニット１８には、像保持体３６と、像保持体３６の表面を帯電させる帯電ロール３８と、帯電した像保持体３６に露光光を照射する露光装置４２とが備えられている。さらに、各色の画像形成ユニット１８には、前述した露光装置４２が帯電した像保持体３６を露光することで形成された静電潜像を現像してトナー画像として可視化する現像装置４０が備えられている。
【００２１】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱・加圧してトナー画像をシート部材Ｐに定着する定着装置５０とが備えられている。
【００２２】
〔画像読取部〕
画像読取部６０には、一枚の原稿Ｇの画像を読み取る際に原稿Ｇを支持する透明の第一透明板６２が備えられている。なお、画像読取部６０については詳細を後述する。
【００２３】
（画像形成装置の作用）
画像形成装置１０では、次のようにして画像が形成される。
【００２４】
先ず、電圧が印加された各色の帯電ロール３８は、各色の像保持体３６の表面を予定の電位で一様にマイナス帯電する。続いて、画像読取部６０で読み取られたデータに基づいて露光装置４２は、帯電した各色の像保持体３６の表面に露光光を照射して静電潜像を形成する。
【００２５】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像は、一次転写ロール４４によって転写ベルト２２に転写される。
【００２６】
そこで、収容部材２６から送出ロール３０によって搬送経路２８へ送り出されたシート部材Ｐは、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐに転写される。
【００２７】
さらに、シート部材Ｐに転写されたトナー画像は、定着装置５０によってシート部材Ｐに定着される。そして、トナー画像が定着されたシート部材Ｐは、搬送ロール３２によって装置本体１０Ａの外部へ排出される。
【００２８】
（要部構成）
次に、画像読取部６０について説明する。
【００２９】
画像読取部６０は、図１に示されるように、一枚の原稿Ｇの画像を読み取る際に原稿Ｇを支持する透明の第一透明板６２を備えている。
【００３０】
第一透明板６２（所謂プラテンガラス）は、装置本体１０Ａの上部に嵌め込まれている。また、この第一透明板６２の上方には、第一透明板６２を開閉する開閉カバー６６が配置されている。そして、開閉カバー６６の内部には、複数枚の原稿Ｇを開閉カバー６６内の搬送経路７０に沿って搬送して、第一透明板６２の隣りに配置されている第二透明板７２の上方の原稿読取位置Ｒを通過させる搬送部材の一例としての搬送装置６４（所謂ＡＤＦ装置）が配置されている。
【００３１】
さらに、装置本体１０Ａの内部には、第一透明板６２に載せられた原稿Ｇの画像と、搬送装置６４によって原稿読取位置Ｒに搬送される原稿Ｇの画像とを読み取る読取部材の一例としての読取ユニット８０が配置されている。また、装置本体１０Ａの内部には、読取ユニット８０を装置幅方向に案内する案内装置１０８と、読取ユニット８０を第一透明板６２又は第二透明板７２に対して位置決めする位置決め部材８６と、読取ユニット８０を案内装置１０８によって移動させる図示せぬ駆動源とが配置されている。
【００３２】
〔第一透明板・第二透明板〕
第一透明板６２の厚さと、第二透明板７２の厚さとは、同様とされ、第一透明板６２の板面及び第二透明板７２の板面は、上下方向を向いている。そして、第一透明板６２は、上方から見て装置幅方向に延びる矩形状とされている。さらに、第二透明板７２は、上方から見て装置奥行方向に延びる矩形状とされ、図１に示されるように、第一透明板６２に対して装置幅方向の一方側（図中左方）の隣りで、第一透明板６２に対して上方に配置されている。
【００３３】
そして、第一透明板６２と第二透明板７２との間には、第一透明板６２の端面と第二透明板７２の端面との間に、樹脂製の連結板６８が、装置奥行方向から見て傾斜して配置されている。
【００３４】
〔開閉カバー〕
開閉カバー６６は、第一透明板６２、及び第二透明板７２を開閉するように、図５（Ａ）（Ｂ）に示されるように、装置本体１０Ａの上部に２個のヒンジ７４を介して取り付けられている。
【００３５】
さらに、開閉カバー６６は、搬送装置６４（図１参照）によって搬送される複数の原稿Ｇが載せられる原稿トレイ７６と、搬送装置６４によって搬送された原稿Ｇが排出される排出トレイ７８とを備えている。
【００３６】
そして、開閉カバー６６を開いて第一透明板６２を開放した状態（図５（Ｂ）参照：開放状態）で、第一透明板６２に原稿Ｇが載せられ、第一透明板６２が原稿Ｇを支持するようになっている。これに対して、開閉カバー６６を閉じて第一透明板６２を閉止した状態（図５（Ａ）参照：閉止状態）で、開閉カバー６６は、第一透明板６２に載せられた原稿Ｇを第一透明板６２に押し付けるようになっている。
【００３７】
〔読取ユニット〕
読取ユニット８０は、内部にレンズアレイ等が配置される既知のＣＩＳ方式を用いて画像を読み取るようになっており、図４に示されるように、装置奥行方向に延びる直方体状の筐体８０Ａを備えている。
【００３８】
〔案内装置・位置決め部材〕
案内装置１０８は、読取ユニット８０を後述するコイルバネ１０２を介して支持する支持部材１００と、支持部材１００を装置幅方向へ移動可能に支持する一対のレール部材１１０とを備えている。
【００３９】
支持部材１００は、図４に示されるように、上方が開口したＵ字状とされ、支持部材１００の内部に筐体８０Ａの一部が配置されている。また、支持部材１００の底板と、筐体８０Ａの底板との間には、筐体８０Ａを上方へ付勢する一対のコイルバネ１０２が、装置奥行方向に並んで配置されている。そして、この支持部材１００は、筐体８０Ａが上下方向に移動するように図示せぬガイド部材によって筐体８０Ａを支持している。
【００４０】
また、一対のレール部材１１０が、支持部材１００の装置奥行方向の両側に配置され、装置幅方向に延びている。
【００４１】
さらに、筐体８０Ａの装置奥行方向の両端側の部分には、上方に突出する一対の突起８２が、装置幅方向に並んで形成されている。この突起８２、及び前述したコイルバネ１０２は、読取ユニット８０を第一透明板６２又は第二透明板７２に対して位置決めする位置決め部材８６を構成している。
【００４２】
この構成において、図１、図３に示されるように、装置幅方向に移動する読取ユニット８０の筐体８０Ａは、突起８２が第一透明板６２の下面又は第二透明板７２の下面に接触するようにコイルバネ１０２によって付勢されている。これにより、読取ユニット８０は、第一透明板６２、及び第二透明板７２に上下方向に位置決めされるようになっている。なお、読取ユニット８０の移動については後述する作用と共に説明する。
【００４３】
〔搬送装置〕
搬送装置６４は、図１に示されるように、原稿トレイ７６に載せられた複数枚の原稿Ｇを原稿Ｇの搬送経路７０に送り出す送出ロール１１２と、送出ロール１１２によって送り出された原稿Ｇを、一枚ずつ搬送する分離ロール１１４とを備えている。
【００４４】
さらに、搬送装置６４は、分離ロール１１４によって分離された原稿Ｇが第二透明板７２の上方の原稿読取位置Ｒを通過するように搬送する複数の搬送ロール１２０と、搬送ロール１２０によって搬送された原稿Ｇを原稿トレイ７６の下方に配置された排出トレイ７８に排出する排出ロール１２２とを備えている。
【００４５】
ここで、原稿読取位置Ｒに対して原稿Ｇの搬送方向の上流側には、一の搬送ロールの一例としての搬送ロール１２０Ａが配置され、原稿読取位置Ｒに対して原稿Ｇの搬送方向の下流側には、他の搬送ロールの一例の搬送ロール１２０Ｂが配置されている。この搬送ロール１２０Ａと搬送ロール１２０Ｂとは、上下方向において同様の高さに配置されている。つまり、搬送ロール１２０Ａのニップ位置と搬送ロール１２０Ｂのニップ位置とは、上下方向で同様の位置とされている。そして、搬送ロール１２０Ｂの少なくとも一部は、第二透明板７２の上面に対して下方で、第一透明板６２の上面に対して上方に配置されている。
【００４６】
また、搬送装置６４は、搬送ロール１２０Ａと搬送ロール１２０Ｂとの間における原稿Ｇの搬送経路７０に対して第二透明板７２の反対側に配置され、搬送される原稿Ｇを支持する支持部材１２６を備えている。さらに、搬送装置６４は、原稿トレイ７６に原稿Ｇが載せられているか否かを検出するセンサ１３０を備えている。
【００４７】
この構成において、搬送ロール１２０Ａと搬送ロール１２０Ｂとの間を搬送される原稿Ｇは、装置奥行方向（原稿Ｇの原稿幅方向）から見て直線状となり、第二透明板７２の上面に沿って搬送されるようになっている。換言すれば、搬送ロール１２０Ａと搬送ロール１２０Ｂとの間における原稿Ｇの搬送経路７０は、第二透明板７２の上面に沿って直線状となっている。つまり、装置奥行方向から見て、搬送ロール１２０Ａのニップ位置と搬送ロール１２０Ａのニップ位置と結ぶ直線が、第二透明板７２の上面に沿って直線状となっている。
【００４８】
（要部構成の作用）
次に、画像読取部６０の作用について説明する。
【００４９】
この画像読取部６０の読取ユニット８０は、第一透明板６２が支持した原稿Ｇの画像を読み取ること、及び搬送装置６４によって搬送される原稿Ｇの画像を読み取ることができる。なお、画像形成装置１０の電源が切られている状態では、読取ユニット８０は、第一透明板６２に支持された原稿Ｇの画像の読み取りを開始する読取開始位置に配置されている（図１の実線で示す位置）。
【００５０】
先ず、読取ユニット８０が第一透明板６２に載せられた原稿Ｇの画像を読み取る場合について、図１に従って説明する。
【００５１】
ユーザが画像形成装置１０の電源を入れ図示せぬ画像読取開始ボタンを押圧し、かつ、センサ１３０が原稿トレイ７６上の原稿Ｇを検出しない場合に、読取ユニット８０によって第一透明板６２が支持した原稿Ｇの画像の読み取りが開始される。
【００５２】
具体的には、読取開始位置に配置されている読取ユニット８０は、原稿Ｇの画像を読み取りながら、図示せぬ駆動源の駆動力によって、第一透明板６２に沿って読取終了位置（図中二点鎖線）へ向けて装置幅方向に移動する。ここで、筐体８０Ａに形成された突起８２が第一透明板６２の下面に接触するようにコイルバネ１０２によって筐体８０Ａが付勢されている。これにより、突起８２が第一透明板６２の下面に接触した状態で、読取ユニット８０は、装置幅方向に移動する。このため、第一透明板６２が支持した原稿Ｇと読取ユニット８０との光学距離Ｌ１（図中参照）が同様の値を保った状態で、読取ユニット８０は、読取開始位置から読取終了位置まで移動する。
【００５３】
原稿Ｇの画像を読み取り、読取終了位置まで移動した読取ユニット８０は、読取開始位置へ移動して次の読み取り指示まで待機する。
【００５４】
次に、読取ユニット８０が搬送装置６４によって搬送される原稿Ｇの画像を読み取る場合について、図２、図３に従って説明する。
【００５５】
ユーザが画像形成装置１０の電源を入れ図示せぬ画像読取開始ボタンを押圧し、かつ、センサ１３０が原稿トレイ７６上の原稿Ｇを検出した場合には、読取ユニット８０によって搬送される原稿Ｇの画像の読み取りが開始される。
【００５６】
具体的には、読取開始位置に配置されている読取ユニット８０が、第二透明板７２の下方に配置されるように、図示せぬ駆動源の駆動力によって、装置幅方向に移動する。ここで、支持部材１００は、筐体８０Ａが傾く事無く上下方向に移動するように筐体８０Ａを支持している。また、筐体８０Ａに形成された突起８２が第二透明板７２の下面に接触するようにコイルバネ１０２によって筐体８０Ａが付勢されている。これにより、装置奥行方向から見て傾斜している連結板６８の下面に突起８２が接触した状態で、読取ユニット８０は、装置幅方向に移動する。そして、この読取ユニット８０の装置幅方向の移動に伴って、読取ユニット８０は上方へも移動する。
【００５７】
読取ユニット８０が第二透明板７２の下方へ到達すると、読取ユニット８０は、原稿読取位置Ｒと対向する搬送読取位置（図３参照）で停止する。この状態で、突起８２が第二透明板７２の下面に接触している。そして、第二透明板７２に沿って搬送される原稿Ｇと読取ユニット８０との光学距離Ｌ２（図中参照）は、前述した光学距離Ｌ１（図１参照）と同様の値となる。
【００５８】
また、読取ユニット８０が搬送読取位置で停止すると、送出ロール１１２が、原稿トレイ７６に載せられた複数枚の原稿Ｇを搬送経路７０に送り出す。さらに、分離ロール１１４が、搬送経路７０に送り出された原稿Ｇを一枚ずつに分離する。そして、搬送ロール１２０が、原稿読取部Ｒに向けて原稿Ｇを搬送し、読取ユニット８０は、原稿読取部Ｒを通過する原稿Ｇの画像を読み取る。さらに、排出ロール１２２は、原稿読取部Ｒを通過した原稿Ｇを順次排出トレイ７８に排出する。
【００５９】
ここで、搬送ロール１２０Ａと搬送ロール１２０Ｂとの間を搬送される原稿Ｇは、装置奥行方向（原稿幅方向）から見て、第二透明板７２の上面に沿って直線状に搬送され、原稿読取部Ｒを通過する。読取ユニット８０は、このように直線状に搬送されている原稿Ｇの画像を読み取る。
【００６０】
搬送される原稿Ｇの画像の読み取りが終了すると、読取ユニット８０は、読取開始位置（図１の実線）へ移動して次の読み取り指示まで待機する。
【００６１】
（要部構成のまとめ）
以上説明したように、読取ユニット８０は、搬送ロール１２０Ａ、１２０Ｂによって直線状に搬送されている原稿Ｇの画像を読み取る。このため、原稿Ｇが第二透明板の上方を湾曲状に反りながら搬送される場合と比して、読取画像の品質が向上する（原稿Ｇの画像の再現性が向上する）。
【００６２】
また、原稿読取位置Ｒに対して原稿Ｇの搬送方向の下流側に配置されている搬送ロール１２０Ｂの少なくとも一部は、第二透明板７２の上面に対して下方に配置されている。このため、搬送ロール１２０Ｂの全てが第二透明板７２の上方に配置されている場合と比して、第二透明板７２を第一透明板６２に対して傾けることがない簡易な構成によって原稿Ｇが第二透明板７２に沿って直線状に搬送される。
【００６３】
また、画像形成装置１０においては、読取ユニット８０による読取画像の品質が向上することで、画像読取部６０を備えていない場合と比して、出力画像の品質が向上する。
【００６４】
＜第２実施形態＞
次に、本発明の第２実施形態に係る画像読取部の一例について図７に従って説明する。なお、第１実施形態と同一部材については、同一符号を付してその説明を省略し、第１実施形態と異なる部分を主に説明する。
【００６５】
第２実施形態に係る画像読取部１５０に備えられた支持部材１７０は、筐体８０Ａが装置奥行方向から見て傾きながら上下方向に移動することができるように図示せぬガイド部材によって筐体８０Ａを支持している。
【００６６】
さらに、画像読取部１５０の第二透明板１５２は、装置奥行方向からみて半時計方向（図中Ｒ１方向）に傾斜している。換言すれば、第二透明板１５２は、第一透明板６２に対して傾斜している。そして、第二透明板１５２の第一透明板６２側の部分は、第一透明板６２に対して上方に配置されている。
【００６７】
また、原稿読取位置Ｒに対して原稿Ｇの搬送方向の上流側には、一の搬送ロールの一例としての搬送ロール１４０Ａが配置され、原稿読取位置Ｒに対して原稿Ｇの搬送方向の下流側には、他の搬送ロールの一例の搬送ロール１４０Ｂが配置されている。
【００６８】
この搬送ロール１４０Ｂは、搬送ロール１４０Ａに対して上方で、かつ、第二透明板７２に対して上方に配置されている。そして、搬送ロール１４０Ａと搬送ロール１４０Ｂとの間を搬送される原稿Ｇは、装置奥行方向（原稿幅方向）から見て、第二透明板１５２の上面に沿って直線状に搬送されるようになっている。
【００６９】
この構成において、搬送読取位置に配置されている読取ユニット８０は、第二透明板１５２の板面に沿うように傾斜している。この状態で、読取ユニット８０は、搬送ロール１４０Ａ、１４０Ｂによって直線状に搬送される原稿Ｇの画像を読み取るようになっている。
【００７０】
以上説明したように、読取ユニット８０は、搬送ロール１４０Ａ、１４０Ｂによって直線状に搬送される原稿Ｇの画像を読み取る。このため、原稿Ｇが第二透明板の上方を湾曲状に反りながら搬送される場合と比して、読取画像の品質が向上する。
【００７１】
他の作用については、原稿読取位置Ｒに対して原稿Ｇの搬送方向下流側の搬送ロールの少なくとも一部が第二透明板の上面に対して下方に配置されることで奏する作用以外の第１実施形態の作用と同様である。
【００７２】
＜第３実施形態＞
次に、本発明の第３実施形態に係る画像読取部の一例について図８〜図１１に従って説明する。なお、第１実施形態と同一部材については、同一符号を付してその説明を省略し、第１実施形態と異なる部分を主に説明する。
【００７３】
第３実施形態に係る画像読取部１８０に備えられた第二透明板１８２は、図８（Ａ）に示されるように、一対の板バネ１８４を介して装置本体１０Ａに取り付けられている。
【００７４】
具体的には、装置本体１０Ａを構成すると共に装置奥行方向で第二透明板１８２を挟むように配置される一対の縦壁１８６から、装置内部に向けて一対のリブ１８８が突出している。そして、板バネ１８４の基端部がリブ１８８に取り付けられ、板バネ１８４の先端部が第二透明板１８２の下面に取り付けられている。
【００７５】
この構成において、外力により板バネ１８４が弾性変形することで、第二透明板１８２は、第二透明板１８２の板厚方向（本実施形態では装置上下方向）に移動可能とされている。そして、第二透明板１８２は、自由状態（第二透明板１８２に荷重が負荷されていない状態）で、図９に示されるように、連結板６８の第二透明板１８２側の端部に対して上方へ配置されている。換言すれば、開閉カバー６６が開放状態（図５（Ｂ）参照）で、第二透明板１８２は、連結板６８の第二透明板１８２側の端部に対して上方へ配置されている。
【００７６】
また、開閉カバー６６が閉止状態（図５（Ａ）参照）で、原稿Ｇの搬送経路７０を挟んで第二透明板１８２の反対側に配置される支持部材１９０（図１０、図１１参照）の装置奥行方向の両端部には、図８（Ｂ）に示されるように、第二透明板１８２側に突出する突起１９１が形成されている。この突起１９１は、他の位置決め部材の一例とされ、支持部材１９０の両端部で、装置幅方向に並んで夫々２個形成されている。なお、支持部材１９０と搬送装置６４とは、図示せぬフレーム部材に取り付けられており、支持部材１９０と搬送装置６４との相対的な位置ばらつきは、予め決められた基準内となっている。
【００７７】
この構成において、開放状態の開閉カバー６６を回転させて閉止状態に配置すると、図８（Ｂ）に示されるように、第二透明板１８２は、支持部材１９０の突起１９１に押されて下方に移動し、支持部材１９０に対して位置決めされるようになっている。換言すれば、第二透明板１８２は、搬送装置６４に対して支持部材１９０を介して位置決めされるようになっている。
【００７８】
一方、搬送読取位置に配置されている読取ユニット８０は、図１１に示されるように、位置決め部材８６によって第二透明板１８２に位置決めされている。
【００７９】
以上より、搬送読取位置に配置された読取ユニット８０は、第二透明板１８２、及び支持部材１９０を介して搬送装置６４に位置決めされている。これにより、読取ユニット８０が搬送装置６４に位置決めされていない場合と比して、読取画像の品質が向上する。
【００８０】
他の作用については、第１実施形態と同様である。
【００８１】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、搬送ロール１２０Ａ、１４０Ａと搬送ロール１２０Ｂ、１４０Ｂとの間で原稿Ｇを搬送することで、原稿Ｇを直線状に搬送したが、搬送ベルト等で原稿Ｇを吸引しながら搬送することで、原稿Ｇを直線状に搬送してもよい。
【符号の説明】
【００８２】
１０            画像形成装置
１８            画像形成ユニット（画像形成部の一例）
６０            画像読取部（画像読取装置の一例）
６２            第一透明板
６４            搬送装置（搬送部材の一例）
７２            第二透明板
８０            読取ユニット（読取部材の一例）
８６            位置決め部材
１２０Ａ        搬送ロール（一の搬送ロールの一例）
１２０Ｂ        搬送ロール（他の搬送ロールの一例）
１４０Ａ        搬送ロール（一の搬送ロールの一例）
１４０Ｂ        搬送ロール（他の搬送ロールの一例）
１５０          画像読取部（画像読取装置の一例）
１５２          第二透明板
１８０          画像読取部（画像読取装置の一例）
１８２          第二透明板
１９１          突起（他の位置決め部材の一例）
【図１】
0006658138.tif 000002
【図２】
0006658138.tif 000003
【図３】
0006658138.tif 000004
【図４】
0006658138.tif 000005
【図５】
0006658138.tif 000006
【図６】
0006658138.tif 000007
【図７】
0006658138.tif 000008
【図８】
0006658138.tif 000009
【図９】
0006658138.tif 000010
【図１０】
0006658138.tif 000011
【図１１】
0006658138.tif 000012